(57)【要約】【課題】優れた動画視認性と画面内の輝度ばらつきの低減を両立させること。【解決手段】複数の走査線と、走査線のそれぞれに走査信号を供給する走査ドライバと、走査線のそれぞれと交差して設けられる複数のデータ線と、データ線のそれぞれにデータ信号を供給するデータドライバと、走査線のそれぞれと交差して設けられる複数の電源線と、電源線のそれぞれに駆動信号を供給する電源回路と、走査線とデータ線との各交点に接続され、電源線を介して供給される駆動信号に応じて有機ＥＬ素子を発光させる複数の画素部と、を備え、走査線の数をｋ、１フレーム期間をｆとしたときに、走査ドライバは、ｆ／ｋ期間ずつタイミングをずらしながら、走査線を１行目から順にｎ本（ｎはｋの公約数）ごとに１本ずつ選択し、当該選択した走査線に走査信号をｆ／ｎ期間供給する、有機ＥＬ表示装置である。【選択図】図６
2007101816.tif 000002
【特許請求の範囲】
【請求項１】
有機ＥＬ素子を含む複数の画素部と、複数の走査線とを備える有機ＥＬ表示装置の駆動方法であって、
前記走査線の数をｋ（ｋは自然数）、１フレーム期間をｆ（ｆは自然数）としたときに、ｆ／ｋ期間ずつタイミングをずらしながら、ｎ（ｎは自然数）本ごとに１本ずつの走査線を選択し、当該選択した走査線に走査信号を供給する第１ステップと、
前記選択した走査線に接続された前記画素部をｆ／ｎ期間点灯させる第２ステップと、
を含むことを特徴とする有機ＥＬ表示装置の駆動方法。
【請求項２】
前記有機ＥＬ表示装置は、さらに各々の走査線に対応する複数のリセット線と、前記リセット線を駆動するためのリセット線ドライバとを更に備え、
前記第２ステップでは、前記画素部をｆ／ｎ期間点灯させた後に消灯させるように、前記第１ステップにおいて選択された前記走査線に対応する前記リセット線に前記リセット線ドライバが前記走査信号に対してｆ／ｎ期間だけ遅れてリセット信号を供給することを特徴とする請求項１に記載の有機ＥＬ表示装置の駆動方法。
【請求項３】
前記ｎは、前記ｋの公約数である請求項１又は２に記載の有機ＥＬ表示装置の駆動方法。
【請求項４】
前記ｎは、２以上２０以下である請求項３に記載の有機ＥＬ表示装置の駆動方法。
【請求項５】
前記走査線のそれぞれと交差して設けられる電源線には、双方向から電源を供給することを特徴とする請求項１乃至４のいずれかに記載の有機ＥＬ表示装置の駆動方法。
【請求項６】
前記走査線とそれぞれ交差して設けられる電源線を複数有することを特徴とする請求項１乃至４のいずれかに記載の有機ＥＬ表示装置の駆動方法。
【請求項７】
それぞれが有機ＥＬ素子を含み、マトリクス状に配列される複数の画素部を備える有機ＥＬ表示装置であって、
複数の走査線と、
前記走査線のそれぞれに走査信号を供給する走査ドライバと、
前記走査線のそれぞれと交差して設けられる複数のデータ線と、
前記データ線のそれぞれにデータ信号を供給するデータドライバと、
前記走査線のそれぞれと交差して設けられる複数の電源線と、
前記電源線のそれぞれに駆動信号を供給する電源回路と、
前記走査線と前記データ線との各交点に接続され、前記電源線を介して供給される前記駆動信号に応じて前記有機ＥＬ素子を発光させる複数の前記画素部と、
を備え、
前記走査線の数をｋ、１フレーム期間をｆとしたときに、前記走査ドライバは、ｆ／ｋ期間ずつタイミングをずらしながら、前記走査線を１行目から順にｎ本（ｎはｋの公約数）ごとに１本ずつ選択し、当該選択した走査線に前記走査信号をｆ／ｎ期間供給する、有機ＥＬ表示装置。
【請求項８】
請求項７に記載の有機ＥＬ表示装置を表示部として備える電子機器。
【発明の詳細な説明】
【技術分野】
【０００１】
本発明は、有機ＥＬ（エレクトロルミネッセンス）素子を用いて構成される複数の画素部をマトリクス状に配列して構成される有機ＥＬ表示装置及び当該有機ＥＬ表示装置の駆動方法と、当該有機ＥＬ表示装置を表示部として備える電子機器に関する。
【背景技術】
【０００２】
近年、有機ＥＬ素子を用いて画素部が構成される有機ＥＬ表示装置が注目されており、当該有機ＥＬ表示装置を表示部として用いるテレビジョン（ＴＶ）モニター等の機器が実用化されつつある。一般に、ＴＶモニター等のように、優れた動画視認性が求められる機器では、１フレーム期間のうちの限られた期間のみを各画素の発光期間に割り当て、残りの期間を非発光期間とする駆動方式（いわゆるデューティ駆動方式）が必要とされる。有機ＥＬ表示装置において、動画視認性を確保するために上記のデューティ駆動方式を採用した従来例は、例えば特開２００３−１５００８２号公報（特許文献１）などに開示されている。
【０００３】
しかしながら、有機ＥＬ素子のような電流発光型の素子では、デューティ駆動を実施しようとすると、有機ＥＬ素子に電流を供給するための電源線に大きな電位降下が発生してしまうという課題がある。何故なら、例えばデューティ比を１／ｎとした場合、発光期間が１フレーム期間のうちの１／ｎに短縮された分を補うために、発光期間での発光輝度（およそ駆動電流に比例する）をｎ倍に高めなければならないからである。この電源線の電位降下は、画面内における輝度ばらつきを生じさせる。上記不都合は、動画視認性を高めようとしてデューティ比を小さく（すなわちｎを大きく）設定した場合に特に顕著となる。
【０００４】
【特許文献１】特開２００３−１５００８２号公報
【発明の開示】
【発明が解決しようとする課題】
【０００５】
そこで、本発明は、優れた動画視認性と画面内の輝度ばらつきの低減を両立させることが可能な有機ＥＬ表示装置およびその駆動方法を提供することを目的とする。
【課題を解決するための手段】
【０００６】
第１の本発明は、有機ＥＬ素子を含む複数の画素部と、複数の走査線とを備える有機ＥＬ表示装置の駆動方法であって、上記走査線の数をｋ（ｋは自然数）、１フレーム期間をｆ（ｆは自然数）としたときに、ｆ／ｋ期間ずつタイミングをずらしながら、ｎ（ｎは自然数）本ごとに１本ずつの走査線を選択し、当該選択した走査線に走査信号を供給する第１ステップと、上記選択した走査線に接続された上記画素部をｆ／ｎ期間点灯させる第２ステップと、を含むことを特徴とする有機ＥＬ表示装置の駆動方法である。
【０００７】
上記の有機ＥＬ表示装置の駆動方法によれば、、ある一瞬において同時に選択される走査線は、当該走査線と直交する方向に沿って数本ごとに分散した複数の走査線となる。これにより、有機ＥＬ表示装置においてデューティ駆動を行った際に生じる電源線の電位降下を抑制することができるので、優れた動画視認性と画面内の輝度ばらつきの低減とを両立させることができる。
【０００８】
好ましくは、上記有機ＥＬ表示装置は、さらに各々の走査線に対応する複数のリセット線と、上記リセット線を駆動するためのリセット線ドライバとを更に備え、上記第２ステップでは、上記画素部をｆ／ｎ期間点灯させた後に消灯させるように、上記第１ステップにおいて選択された上記走査線に対応する上記リセット線に上記リセット線ドライバが上記走査信号に対してｆ／ｎ期間だけ遅れてリセット信号を供給する。
【０００９】
好ましくは、上述した自然数ｎは、走査線の数ｋの公約数である。
【００１０】
好ましくは、上述した自然数ｎは、２以上２０以下である。
【００１１】
好ましくは、上記走査線のそれぞれと交差して設けられる電源線には、双方向から電源を供給すること。
【００１２】
好ましくは、上記走査線とそれぞれ交差して設けられる電源線を複数有する。
【００１３】
第２の本発明は、それぞれが有機ＥＬ素子を含み、マトリクス状に配列される複数の画素部を備える有機ＥＬ表示装置であって、複数の走査線と、上記走査線のそれぞれに走査信号を供給する走査ドライバと、上記走査線のそれぞれと交差して設けられる複数のデータ線と、上記データ線のそれぞれにデータ信号を供給するデータドライバと、上記走査線のそれぞれと交差して設けられる複数の電源線と、上記電源線のそれぞれに駆動信号を供給する電源回路と、上記走査線と上記データ線との各交点に接続され、上記電源線を介して供給される上記駆動信号に応じて上記有機ＥＬ素子を発光させる複数の上記画素部と、を備え、上記走査線の数をｋ、１フレーム期間をｆとしたときに、上記走査ドライバは、ｆ／ｋ期間ずつタイミングをずらしながら、上記走査線を１行目から順にｎ本（ｎはｋの公約数）ごとに１本ずつ選択し、当該選択した走査線に上記走査信号をｆ／ｎ期間供給する、有機ＥＬ表示装置である。
【００１４】
上記の有機ＥＬ表示装置によれば、ある一瞬において同時に選択される走査線は、当該走査線と直交する方向に沿って数本ごとに分散した複数の走査線となる。これにより、有機ＥＬ表示装置においてデューティ駆動を行った際に生じる電源線の電位降下を抑制することができるので、優れた動画視認性と画面内の輝度ばらつきの低減とを両立させることができる。
【００１５】
第３の本発明は、上述した有機ＥＬ表示装置を表示部として備える電子機器である。ここで、「電子機器」は、表示部を備えるあらゆる機器を含むもので、ディスプレイ装置、テレビジョン装置、電子ペーパ、時計、電卓、携帯電話、携帯情報端末等を含む。
【００１６】
かかる構成によれば、表示品質に優れた電子機器が得られる。
【発明を実施するための最良の形態】
【００１７】
以下、本発明の実施の形態について図面を参照しながら説明する。
【００１８】
図１は、一実施形態の有機ＥＬ表示装置の構成を説明するブロック図である。図１に示す有機ＥＬ表示装置１００は、それぞれが有機ＥＬ素子を含み、マトリクス状に配列される複数の画素部１０２を備え、各画素部１０２の発行状態を制御することによって二次元情報（画像、映像）の表示を行うものである。この有機ＥＬ表示装置１００は、複数の走査線１０７と、各走査線１０７のそれぞれに選択信号を供給するを走査ドライバ１０３と、各走査線のそれぞれと交差して設けられる複数のデータ線１０８と、各データ線１０８のそれぞれにデータ信号を供給するデータドライバ１０５と、各走査線１０７と各データ線１０８との各交点に接続される複数の画素部１０２と、各データ線１０５のそれぞれと交差して設けられる複数のリセット線１０９と、各リセット線１０９のそれぞれにリセット信号を供給するリセット線ドライバ１０４と、各走査線１０７のそれぞれと交差して設けられる複数の電源線１１０と、各電源線１１０のそれぞれに駆動信号を供給する電源回路１０６と、を含んで構成されている。
【００１９】
図２は、各画素部１０２を構成する画素回路の一例を説明する回路図である。また、図３は、画素回路の動作を説明するためのタイミングチャートである。図２に示す画素回路は、有機ＥＬ素子ＯＬＥＤと、この有機ＥＬ素子ＯＬＥＤのアノード電極に直列接続されたトランジスタＤＲ１と、トランジスタＤＲ１のゲート電極であるノードＶＧに接続された保持容量Ｃと、ノードＶＧへの信号の供給／停止を制御するトランジスタＳＷ１と、ノードＶＧの電荷をディスチャージしてトランジスタＤＲ１をオフ状態に戻すリセット用のトランジスタＳＷ２と、を含んで構成されている。図３に示すように、トランジスタＳＷ１のゲートに接続された走査線１０７に供給される走査信号ＳＤがハイレベルとなると、データ信号ＶＤの電位がトランジスタＳＷ１を介してノードＶＧに書き込まれ、トランジスタＤＲ１がオン状態となる。このとき、電源線１１０を介して有機ＥＬ素子ＯＬＥＤに駆動信号が供給され、当該駆動信号に応じて有機ＥＬ素子ＯＬＥＤが発光（点灯）する。一定の期間（後述するｆ／ｎ期間）だけ遅れて、リセット線１０９に供給されるリセット信号ＳＲがハイレベルとなり、トランジスタＳＷ２がオン状態となる。このとき、保持容量Ｃの電荷がディスチャージされてノードＶＧの電位が低下し、トランジスタＤＲ１がオフ状態となる。ここで、本実施形態の画素回路では、トランジスタＳＷ２に接続された信号線１１１の電位は接地レベル（ＧＮＤ）となっており、ノードＶＧの電位は接地レベルに低下する。
【００２０】
図４は、有機ＥＬ表示装置１００により表示される二次元情報の一例を説明する図である。この図４に示す例は、あるタイミングにおいて視認される画像を示している。本実施形態の有機ＥＬ表示装置１００は、このような二次元画像を表示するために、水平方向（図中、左右方向）に延在するｋ本（例えば７２０本、１０８０本など）の走査線を備えている。なお、以下の説明では、図示のように画面下側から１本目、２本目、…、ｋ本目と走査線を数える。
【００２１】
図５は、走査線の選択順序について概略的に説明する図である。図５では、上記図４に示した二次元画像を表示する際に、あるタイミングにおいて選択されている走査線が示されている。なお、「選択する」とは、走査線１０７に供給する走査信号ＳＤをハイレベルにし、トランジスタＳＷ１をオン状態とすることをいう。また、図６は、走査ドライバ１０３による走査線選択動作について説明するためのタイミングチャートであり、各走査線１０７に供給される走査信号ＳＤが示されている。図７は、図６に示すタイミングチャートを各走査線１０７の配列順（図４参照）に並べ替えて示したものである。
【００２２】
本実施形態の有機ＥＬ表示装置１００の走査ドライバ１０３は、各走査線１０７を１行目から順にｎ本ごとに１本ずつ選択する。詳細に説明すると、走査ドライバ１０３は、１行目の走査線１０７を選択し、その後（ｎ＋１）本目、（２ｎ＋１）本目、（３ｎ＋１）本目、…、（（ｋ／ｎ）×ｎ＋１）本目、という順で走査線１０７を選択する（図５参照）。画面下側から上側へ１巡目の走査線選択動作が終わると、次いで走査ドライバ１０３は、走査ドライバ１０３は、２行目の走査線１０７を選択し、その後（ｎ＋２）本目、（２ｎ＋２）本目、（３ｎ＋２）本目、…、（（ｋ／ｎ）×ｎ＋２）本目、という順で走査線１０７を選択する。２巡目の走査線選択動作が終わると、次いで走査ドライバ１０３は、２行目の走査線１０７を選択し、その後（ｎ＋２）本目、（２ｎ＋２）本目、（３ｎ＋２）本目、…、（（ｋ／ｎ）×ｎ＋２）本目、という順で走査線１０７を選択する。以下同様に選択動作が継続され、走査ドライバ１０３は、ｎ行目の走査線１０７を選択し、その後２ｎ本目、３ｎ本目、…、（（ｋ／ｎ−１）×ｎ＋ｎ）本目（すなわちｋ本目）、という順で走査線１０７を選択する。以上で、１フレーム期間ｆを終了する。この走査線選択動作について更に詳述する。走査線１０７の数をｋ、１／ｎをデューティ比（ｎはｋの公約数）、１フレーム期間をｆとしたときに、走査ドライバ１０３は、ｆ／ｋ期間ずつタイミングをずらしながら、各走査線１０７を１行目から順にｎ本ごとに１本ずつ選択し、当該選択した走査線１０７に走査信号ＳＤをｆ／ｎ期間供給する。これにより、ある一瞬においては、数本ごとに分散して配置された複数の走査線１０７が同時に選択されることになる（図５参照）。そして、ｆ／ｎ期間、画素部が点灯する。
【００２３】
図８は、電源線に着目して示した有機ＥＬ表示装置１００の等価回路である。図８において、ＶELは電源回路１０６によって電源線１１０に与えられる電圧、Ｒは画素１ピッチ分に相当する電源線１１０の配線抵抗、ｉは有機ＥＬ素子ＯＬＥＤの発光（点灯）に要する平均電流である。この等価回路に基づいて、ワーストケースにおける電源線１１０の総電位降下ΔＶtotalを求めると、以下の式１のようになる。
ΔＶtotal＝｛ｋ（ｋ＋ｎ）／ｎ｝Ｒｉ    …（式１）
【００２４】
上述した式１によれば、電源線１１０の電位降下に対して、Ｒ、ｉ、ｎの各パラメータはそれぞれ線形の効果（一乗の効果）を及ぼすのに対して、パラメータｋ（走査線数）は二乗の効果を及ぼすことが分かる。すなわち、上記式１は、ΔＶtotalを低減させるためには実質的なｋの値を小さくすることが肝要であることを意味している。
【００２５】
以下に、比較例について説明する。
【００２６】
図９は、比較例の有機ＥＬ表示装置における走査線の選択順序について概略的に説明する図である。なお、比較例の有機ＥＬ表示装置は、走査ドライバによる走査線選択動作が異なる以外は、本実施形態の有機ＥＬ表示装置１００と同様の構成を備える。比較例の有機ＥＬ表示装置では、ある一瞬においては、連続して配置される（ｋ／ｎ）本の走査線１０７が同時に選択されることになる。このとき、上記と同様に電源線の電位降下のワーストケースを考えると、図９に示すように、１本目から（ｋ／ｎ）本目までの各走査線が選択されている場合となる。
【００２７】
図１０は、電源線に着目して示した比較例の有機ＥＬ表示装置の等価回路である。図１０においても、ＶELは電源回路１０６によって電源線１１０に与えられる電圧、Ｒは画素１ピッチ分に相当する電源線１１０の配線抵抗、ｉは有機ＥＬ素子ＯＬＥＤの発光に要する平均電流である。この等価回路に基づいて、ワーストケースにおける電源線１１０の総電位降下ΔＶtotalを求めると、以下の式２のようになる。
ΔＶtotal＝｛（１−１／２ｎ）ｋ2＋ｋ／２｝Ｒｉ    …（式２）
【００２８】
図１１は、デューティ比（１／ｎ）を変化させたときに、上記式１及び式２のそれぞれによって見積もられる電位降下ΔＶtotalの変化を示した図である。ここで、計算条件については実際の製品における状況を鑑み、走査線数ｋ：１０８０、画素ピッチ：３００μｍ、画面サイズ：２６インチ、電源線１１０のシート抵抗：０．１５Ω／□、電源線１１０の配線幅：２５μｍ、画素１ピッチあたりの電源線１１０の配線抵抗：１．８０Ω、画素電流ｉの最大値：２μＡ、と設定した。図中、ｃａｓｅＩと表記される特性曲線が比較例の有機ＥＬ表示装置に対応し、ｃａｓｅＩＩと表記される特性曲線が本実施形態の有機ＥＬ表示装置に対応する。図１１に示すように、比較例（ｃａｓｅＩ）ではデューティ比の低下とともにΔＶtotalが線形的に上昇するのに対し、本実施形態（ｃａｓｅＩＩ）ではデューティ比が０（いわゆるパッシブ駆動）に極めて近くなるまではΔＶtotalの上昇は見られずほぼ一定であり、デューティ比が０に近づくとΔＶtotalが急激に上昇する。ここで、デューティ比の実用的範囲は概ね０．０５〜０．５程度（ｎが２〜２０の範囲）である。例えば、デューティ比が０．１（すなわちｎ＝１０）に設定されたとすると、本実施形態の有機ＥＬ表示装置１００は、比較例の有機ＥＬ表示装置に比べて、電位降下ΔＶtotalをおよそ半分に抑えることができる。ここで、デューティ比が０．１の場合において、本実施形態の有機ＥＬ表示装置１００の電位降下ΔＶtotalは２．１２Ｖである。また、１本の電源線１１０に対して電源を上下（双方向）から供給するように構成した場合には、上記計算条件におけるｋの値が実質的に５４０となるため、電位降下ΔＶtotalを０．５３Ｖまで低減することができる。同様に、電源線１１０を上下２本に分割して上下から電源を供給するように構成した場合には、上記計算条件におけるｋの値が実質的に５４０となるため、電位降下ΔＶtotalを０．５３Ｖまで低減することができる。
【００２９】
図１２は、上述した有機ＥＬ表示装置を表示部として備える電子機器の具体例を示す斜視図である。図１２（Ａ）は携帯電話への適用例であり、当該携帯電話１０００は上述した電気光学装置１００を用いて構成される表示部１００１を備えている。図１２（Ｂ）はビデオカメラへの適用例であり、当該携帯電話１１００は上述した電気光学装置１００を用いて構成される表示部１１０１を備えている。図１２（Ｃ）はテレビジョンへの適用例であり、当該テレビジョン１２００は上述した電気光学装置１００を用いて構成される表示部１２０１備えている。なお、パーソナルコンピュータ等に用いられるモニタ装置に対しても同様に本発明に係る電気光学装置を適用し得る。なお、これらの電子機器に内蔵される電子回路について、上述した実施形態にかかる回路基板を適用することも可能である。
【００３０】
以上のように本実施形態によれば、有機ＥＬ表示装置においてデューティ駆動を行った際に生じる電源線の電位降下を抑制することができるので、優れた動画視認性と画面内の輝度ばらつきの低減とを両立させることができる。
【００３１】
なお、本発明は上述した実施形態の内容に限定されるものではなく、本発明の要旨の範囲内において種々の変形実施が可能である。例えば、上述した図２に示した画素回路は単なる例示であり、これに限定されるものではない。
【図面の簡単な説明】
【００３２】
【図１】一実施形態の有機ＥＬ表示装置の構成を説明するブロック図である。
【図２】各画素部を構成する画素回路の一例を説明する回路図である。
【図３】画素回路の動作を説明するためのタイミングチャートである。
【図４】有機ＥＬ表示装置により表示される二次元情報の一例を説明する図である。
【図５】走査線の選択順序について概略的に説明する図である。
【図６】走査ドライバによる走査線選択動作について説明するためのタイミングチャートである。
【図７】図６に示すタイミングチャートを各走査線の配列順に並べ替えて示したものである。
【図８】電源線に着目して示した有機ＥＬ表示装置の等価回路である。
【図９】比較例の有機ＥＬ表示装置における走査線の選択順序について概略的に説明する図である。
【図１０】電源線に着目して示した比較例の有機ＥＬ表示装置の等価回路である。
【図１１】デューティ比（１／ｎ）を変化させたときに見積もられる電位降下ΔＶtotalの変化を示した図である。
【図１２】有機ＥＬ表示装置を表示部として備える電子機器の具体例を示す斜視図である。
【符号の説明】
【００３３】
１００…有機ＥＬ表示装置１００、１０２…画素部、１０３…走査ドライバ、１０４…リセット線ドライバ、１０５…データドライバ、１０６…電源回路、１０７…走査線、１０８…データ線、１０９…リセット線、１１０…電源線、ＯＬＥＤ…有機ＥＬ素子、ＤＲ１、ＳＷ１、ＳＷ２…トランジスタ、Ｃ…保持容量
【図１】
2007101816.tif 000003
【図２】
2007101816.tif 000004
【図３】
2007101816.tif 000005
【図４】
2007101816.tif 000006
【図５】
2007101816.tif 000007
【図６】
2007101816.tif 000008
【図７】
2007101816.tif 000009
【図８】
2007101816.tif 000010
【図９】
2007101816.tif 000011
【図１０】
2007101816.tif 000012
【図１１】
2007101816.tif 000013
【図１２】
2007101816.tif 000014